(57)【要約】【課題】細い軸筒１１と芯タンク１３の間を重量体１２が抵抗なく摺動できるとともに、低コストで芯タンク１３が取り付けられる複合筆記具用の振出式シャープペンシル体に適用できる。【解決手段】振出式シャープペンシル体を含む複数本の筆記体を出没手段により選択して本体の先端より突出させ筆記を行う複合筆記具において、細径の軸筒１１と、スプリング５により長手方向後方に付勢されたチャック１と、チャック１の後部に連結されたコネクター２と、軸筒１１の後部に設けられノックスプリング１０によって長手方向後方に付勢された押圧部材９と、コネクター２と押圧部材９の間に遊嵌された芯タンク１３と、芯タンク１３の外側に長手方向に摺動可能に遊嵌された重量体１２で振出式シャープペンシル体を構成する。【選択図】図１
2010184358.tif 000002
【特許請求の範囲】
【請求項１】
本体内に振出式シャープペンシル体を含む複数本の筆記体を配設し、任意の筆記体を出没手段により選択して本体の先端より突出させ筆記を行う複合筆記具において、細径の軸筒と、スプリングにより長手方向後方に付勢されたチャックと、チャックの後部に連結されたコネクターと、軸筒の後部に設けられたノックスプリングによって長手方向後方に付勢された押圧部材と、コネクターと押圧部材の間に遊嵌された芯タンクと、芯タンクの外側に長手方向に摺動可能に遊嵌された重量体とからなり、重量体が軸筒と芯タンクの間を抵抗なく摺動できるように構成したことを特徴とする複合筆記具用の振出式シャープペンシル体。
【請求項２】
芯タンクを金属パイプにより構成したことを特徴とする請求項1記載の複合筆記具用の振出式シャープペンシル体。
【請求項３】
重量体の外面及び内面に潤滑処理を施したことを特徴とする請求項１又は２記載の複合筆記具用の振出式シャープペンシル体。
【発明の詳細な説明】
【技術分野】
【０００１】
本発明は、任意の筆記体を出没手段により選択して本体の先端より突出させ筆記を行う複合筆記具用の振出式シャープペンシル体に関するものである。
【背景技術】
【０００２】
従来の振出式シャープペンシルの芯タンクは、チャックに連結されたコネクターに固着されていた。この芯タンクの外側に重量体が設けられ、振った時に重量体が長手方向に摺動し、重量体の慣性力によりチャックを前進させて芯を繰り出していた。
【０００３】
しかし、コネクターと芯タンクを固着したものは芯タンクが若干曲がって取り付けられてしまい、しかも芯タンクの全長が長いために芯タンクが重量体と接触してしまう恐れがあった。この点を解消するため芯タンクと軸筒の隙間を大きくする必要があり、軸筒が太くなってしまうため、複合筆記具用の振出式シャープペンシル体を実用化することは非常に困難であった。
【０００４】
上記欠点を改良したものとして、コネクターに芯タンクを揺動可能に連結した振出式シャープペンシルが知られている。（特許文献１参照）
【０００５】
しかしながら、コネクターに芯タンクを揺動可能に連結したものは、コネクターと芯タンクの形状が複雑となるとともに組立も複雑となり、コスト高になってしまう問題があった。
【先行技術文献】
【特許文献】
【０００６】
【特許文献１】特開２００７−４４９３９号公報
【発明の概要】
【発明が解決しようとする課題】
【０００７】
解決しようとする問題点は、軸筒と芯タンクの間に長手方向に摺動可能に重量体を設けるものは、重量体を抵抗なく摺動させるために軸筒が太くなってしまう点であり、また、軸筒を細くし軸筒と芯タンクの隙間を少なくした時、重量体を抵抗なく摺動させるためにコネクターに芯タンクを揺動可能に連結したものは、コネクターと芯タンクの形状が複雑となるとともに組立も複雑となってコスト高になってしまう点である。
【課題を解決するための手段】
【０００８】
本発明は、本体内に振出式シャープペンシル体を含む複数本の筆記体を配設し、任意の筆記体を出没手段により選択して本体の先端より突出させ筆記を行う複合筆記具において、細径の軸筒と、スプリングにより長手方向後方に付勢されたチャックと、チャックの後部に連結されたコネクターと、軸筒の後部に設けられノックスプリングによって長手方向後方に付勢された押圧部材と、コネクターと押圧部材の間に遊嵌された芯タンクと、芯タンクの外側に長手方向に摺動可能に遊嵌された重量体とからなり、重量体が軸筒と芯タンクの間を抵抗なく摺動できるように振出式シャープペンシル体を構成したことを第１の特徴とする。
【０００９】
また、芯タンクを金属パイプにより構成したことを第２の特徴とする。
【００１０】
更に、重量体の外面及び内面に潤滑処理を施したことを第３の特徴とする。
【発明の効果】
【００１１】
本発明の複合筆記具用の振出式シャープペンシル体は、コネクターと押圧部材の間に芯タンクを遊嵌するので、細い軸筒と芯タンクの間を重量体が抵抗なく摺動できるとともに、低コストで芯タンクが取り付けられるものである。更に、芯タンクが分離されているので、チャックとコネクターのみを前進させれば良く、重量体の慣性力を小さくできる利点がある。
【図面の簡単な説明】
【００１２】
【図１】図１は本発明の複合筆記具用の振出式シャープペンシル体を示す縦断面図である。（実施例１）
【図２】図２は本発明の振出式シャープペンシル体を内蔵した複合筆記具を示す縦断面図である。（実施例１）
【図３】図３は振出式シャープペンシル体を突出させた状態の複合筆記具を示す縦断面図である。（実施例１）
【図４】図４は、図３の主要部を示す拡大縦断面図である。（実施例１）
【発明を実施するための形態】
【００１３】
軸筒を細くしても重量体が抵抗なく摺動できるという目的を、低コストの振出式シャープペンシル体で実現した。
【実施例１】
【００１４】
以下、図１に基づいて本発明における実施例１の複合筆記具用の振出式シャープペンシル体を説明する。また、図１の左側を前方とし、右側を後方とする。先ず、黄銅等からなる金属製のチャック１の後部に合成樹脂製のコネクター２を圧入固着する。このコネクター２の後部に太径部２Ａを形成し、太径部２Ａ内側に太径の後部孔２Ｂを形成する。また、チャック１の頭部１Ａには締リング３が外嵌され、締リング３を受け止める内軸４の内段４Ａとコネクター２の間に比較的弱い力のスプリング５が張架される。したがって、通常スプリング５により後方に付勢されるチャック１の頭部１Ａは、締リング３に押圧され閉じられることによって芯６を保持する。
【００１５】
後部が太径に構成された頭冠７の前部に中子８が配置され、中子８の後部に押圧部材９が圧入固着される。また、頭冠７の後端７Ａと押圧部材９の外段９Ａとの間にノックスプリング１０が張架され、中子８の後端が頭冠７の前端に当接される。
【００１６】
この頭冠７は、外径が４ｍｍのステンレスパイプで構成された軸筒１１の後部に圧入固着される。この軸筒１１に重量体１２を挿入し、更に重量体１２の内側に金属製パイプからなる芯タンク１３を挿入する。また、重量体１２の表面及び内面に潤滑処理が施されているが、潤滑処理としては潤滑メッキか潤滑剤の塗布が考えられる。前記潤滑メッキとしては潤滑性無電解ニッケルメッキが好ましい。また、前記潤滑剤の塗布としては、二硫化モリブデン、二硫化タングステン、黒鉛あるいはシリコンを塗布することが考えられる。
【００１７】
更に、軸筒１１の前部に前記内軸４の後部４Ｂが圧入固着され、芯タンク１３の前部がコネクター２の後部孔２Ｂに挿入されるとともに芯タンク１３の後部が中子８の前部孔８Ａに挿入され、芯タンク１３はコネクター２の後部孔２Ｂと中子８の前部孔８Ａの間に遊嵌される。この芯タンク１３の外周面にも重量体１２と同じ潤滑処理が施されている。また、芯タンク１３の外側に設けられた重量体１２はコネクター２の後端と中子８の前端の間を長手方向に摺動可能に遊嵌される。この時、芯タンク１３は遊嵌されて前後左右に移動可能で、しかも芯タンク１３と重量体１２に潤滑処理が施されているため、重量体１２は抵抗なく摺動することができる。
【００１８】
前記内軸４の前部凹溝４ＣにＯリング１４を設け、この内軸４に芯ホルダー１５を内蔵した口金１６が着脱可能に螺合される。この時、内軸４に設けられたＯリング１４が口金１６に圧接されて口金１６のゆるみが防止される。
【００１９】
そして、前記押圧部材９の開口孔９Ｂから予備の芯６を挿入し、芯タンク１３内に収納して振出式シャープペンシル体を構成する。
【００２０】
次に、筆記体として上記振出式シャープペンシル体とボールペンレフィールを装着するスライド式の複合筆記具を図２に基づいて説明する。スライド式の複合筆記具は従来から知られているが、具体的には、先部材１７の後部に前軸１８を螺合し、前軸１８の後部に後軸１９を螺合し、前記先部材１７、前軸１８及び後軸１９により本体を構成する。また、後軸１９の後部に摺動部材２０を長手方向に摺動可能に取り付けるとともに、後軸１９の内鍔１９Ａと摺動部材２０の前端２０Ａの間にリターンスプリング２１が張架される。尚、摺動部材２０の後端部には消しゴム２２を取り付け、更に消しゴム２２を覆うようにノブ２３を着脱自在に装着する。また、前軸１８にはゴム製のグリップ２４が装着される。
【００２１】
前記摺動部材２０にはボールペンレフィール２５用のスライド部材２６と振出式シャープペンシル体用のスライド部材２７が長手方向に摺動可能に内蔵され、スライド部材２６、２７の操作部２６Ａ、２７Ａが摺動部材２０のスライド溝２０Ｂから外部に突出している。更に、前記ボールペンレフィール２５用のスライド部材２６と振出式シャープペンシル体用のスライド部材２７はそれぞれコイルスプリング２８により長手方向後方に付勢される。このボールペンレフィール２５用のスライド部材２６の突起２６Ｂにはボールペンレフィール２５の後端部が着脱可能に係合される。また、振出式シャープペンシル体用のスライド部材２７の突起２７Ｂには前記振出式シャープペンシル体の押圧部材９の後端部が着脱可能に係合される。
【００２２】
振出式シャープペンシル体を使用する際には、摺動部材２０より突出したスライド部材２７の操作部２７Ａを前進させ、スライド部材２７の係止部２７Ｃが摺動部材２０のスライド溝２０Ｂに設けられた係止部２０Ｃに係止し、振出式シャープペンシル体の口金１６を先部材１７より突出して図３及び図４の状態となる。この状態で複合筆記具を振れば重量体１２が前進し、重量体１２がコネクター２に当接する。すると、重量体１２の慣性力によりコネクター２及びチャック１を前進させて芯６を繰り出す。この時、芯タンク１３は前後左右に移動可能なため重量体１２は芯タンク１３と抵抗なく移動することができる。また、コネクター２と芯タンク１３が分離されているので、重量体１２の慣性力で前進させる部材はチャック１とコネクター２及び芯６のみとなり、芯タンク１３を前進させる必要がなくなるので、小さな慣性力で芯を繰り出すことができる。つまり、重量体１２が小さくできるので、振出式シャープペンシル体の外径を細くすることができる。しかも、重量体１２と芯タンク１３に潤滑処理が施されているので、よりスムーズに摺動することができる。
【００２３】
そして、筆記を行うことによって使用中の芯６が短くなり筆記できなくなってしまった場合には、振出式シャープペンシル体の口金１６が先部材１７から突出した図３の状態で、摺動部材２０を押圧すると口金１６の段部１６Ａが先部材１７に当接する。更に摺動部材２０を押圧すると、摺動部材２０とともにスライド部材２７、押圧部材９及び中子８が前進する。すると中子８が芯タンク１３に当接し、芯タンク１３、コネクター２及びチャック１が前進して、次の芯６を追従させる。この操作を数回繰り返すことによって短くなった芯６が排出され、次の芯６が口金１６の先端より突出して筆記可能状態となる。
【００２４】
筆記を終了し振出式シャープペンシル体を没入させるには、振出式シャープペンシル体が連結された以外のスライド部材２６を前進させると、振出式シャープペンシル体に連結されたスライド部材２７の係止部２７Ｃが摺動部材２０のスライド溝２０Ｂに設けられた係止部２０Ｃから外れる。すると、スライド部材２７がコイルスプリング２８により後方に付勢され、図２の状態に復帰する。
【００２５】
次に、ボールペンレフィール２５を使用する場合には、ボールペンレフィール２５が連結されたスライド部材２６を前進させ、スライド部材２６の係止部２６Ｃが摺動部材２０のスライド溝２０Ｂに設けられた係止部２０Ｃに係止し、ボールペンレフィール２５の先端が先部材１７より突出して筆記が行える。ボールペンレフィール２５を没入させる操作は前進した振出式シャープペンシル体の没入と同様に行うことができる。
【００２６】
尚、上記実施例1は、スライド部材を選択して希望する筆記体を突出させていたが、希望する筆記体を突出する手段としては、スライド部材方式の複合筆記具に限定されるものではなく、後軸を回転して筆記体を選択し突出させる複合筆記具等、複数の筆記体を配設し、任意に選択して突出する複合筆記具であれば種々の複合筆記具が利用可能である。
【産業上の利用可能性】
【００２７】
細い軸筒と芯タンクの間を重量体が抵抗なく摺動できるとともに、重量体を小型にでき、かつ、低コストで芯タンクが取り付けられる複合筆記具用の振出式シャープペンシル体に適用できる。
【符号の説明】
【００２８】
１    チャック
２    コネクター
９    押圧部材
１０  ノックスプリング
１１  軸筒
１２  重量体
１３  芯タンク
【図１】
2010184358.tif 000003
【図２】
2010184358.tif 000004
【図３】
2010184358.tif 000005
【図４】
2010184358.tif 000006